【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
基板を成形する一対の基板成形部材と、
前記一対の基板成形部材の内、一方の基板成形部材を保持する固定基盤と、
前記一対の基板成形部材の内、他方の基板成形部材を保持する可動基盤と、
前記一対の基板成形部材が嵌合された際、それら一対の基板成形部材の間に、前記基板を成形する所定の隙間を設けるために互いに突当てられる、前記固定基盤及び可動基盤に設けられ且つ前記基板成形部材を実質上取り囲む位置に配置された一対の突当部材と、
前記隙間を調整するために、前記一方の基板成形部材と前記固定基盤との間及び／又は前記他方の基板成形部材と前記可動基盤との間であって、且つ、前記突当部材の内側に配置される隙間調整手段と、
を備えたことを特徴とする基板成形金型。
【請求項２】
前記基板成形部材が複数の金型構成部材の組み合わせにより構成されている場合、前記複数の金型構成部材の内、全部又は一部の金型構成部材と前記基盤との間に、前記隙間調整手段が設けられていることを特徴とする請求項１記載の基板成形金型。
【請求項３】
前記基板成形部材に設けられた、温度調整用の媒体を流す溝を覆うための蓋部材を備え、
前記隙間調整手段が、前記蓋部材と前記固定基盤又は可動基盤との間に設けられていることを特徴とする請求項１記載の基板成形金型。
【請求項４】
前記突当部材は実質上環状であり、
前記基盤と前記基板成形部材との接合面が、前記突当部材の内周壁面に当たる位置に段差があり、
前記隙間調整手段が、前記段差における前記内周壁面に隣接して配置されていることを特徴とする請求項１記載の基板成形金型。
【請求項５】
前記基盤と前記基板成形部材との接合面が、実質上環状の段差を有しており、
前記隙間調整手段が、前記段差における環状の壁面に隣接して配置されていることを特徴とする請求項１記載の基板成形金型。
【請求項６】
前記隙間調整手段としてシムを用いる請求項１〜５の何れか一つに記載の基板成形金型。
【請求項７】
前記シムが環状シムであることを特徴とする請求項６記載の基板成形金型。
【請求項８】
前記シムを保持する溝が、前記シムを挟み込んでいる接合面の何れか一方の側面に設けられていることを特徴とする請求項６記載の基板成形金型。
【請求項９】
前記シムには、孔が設けられており、
前記孔を貫通するピンが、前記シムを挟み込んでいる接合面の何れか一方の側面に設けられていることを特徴とする請求項６記載の基板成形金型。
【請求項１０】
前記孔は複数個設けられており、それぞれの孔にピンが差し込まれていることを特徴とする請求項９記載の基板成形金型。
【請求項１１】
前記ピンの断面形状と前記孔の形状は、前記シムが回転移動しない様に調整されていることを特徴とする請求項９記載の基板成形金型。
【請求項１２】
前記隙間調整手段は、前記基板成形部材に、又はその基板成形部材と接合している前記基盤にねじ込まれた突出部材であり、
前記突出部材を回転することにより、その突出寸法が調整可能であることを特徴とする請求項１、２、４又は５に記載の基板成形金型。
【請求項１３】
前記隙間調整手段は、前記蓋部材に、又はその蓋部材と接合している前記基盤にねじ込まれた突出部材であり、
前記突出部材を回転することにより、その突出寸法が調整可能であることを特徴とする請求項３記載の基板成形金型。
【請求項１４】
前記突出部材の端面部には、前記回転に利用する溝が形成されていることを特徴とする請求項１２又は１３記載の基板成形金型。
【請求項１５】
前記突出部材の突出量の前記調整の後におけるその突出部材の回転を止める回転防止部材を設けたことを特徴とする請求項１４記載の基板成形金型。
【請求項１６】
基板を成形する一対の基板成形部材と、
前記一対の基板成形部材の内、一方の基板成形部材を保持する固定基盤と、
前記一対の基板成形部材の内、他方の基板成形部材を保持する可動基盤と、
前記一対の基板成形部材が嵌合された際、それら一対の基板成形部材の間に、前記基板を成形する所定の隙間を設けるために互いに突当てられる、前記固定基盤及び可動基盤に設けられ且つ前記基板成形部材を実質上取り囲む位置に配置された一対の突当部材とを備えた基板成形金型における成形基板の板厚調整方法であって、
前記隙間を調整するために、前記一方の基板成形部材と前記固定基盤との間及び／又は前記他方の基板成形部材と前記可動基盤との間であって、且つ、前記突当部材の内側に隙間調整手段を配置することを特徴とする基板成形金型における成形基板の板厚調整方法。
【請求項１７】
前記基板成形部材が複数の金型構成部材の組み合わせにより構成されている場合、
前記隙間調整手段を、前記複数の金型構成部材の内、全部又は一部の金型構成部材と前記基盤との間に設けることを特徴とする請求項１６記載の基板成形金型における成形基板の板厚調整方法。
【請求項１８】
前記基板成形部材に設けられた、温度調整用の媒体を流す溝を覆うための蓋部材が設けられている場合、
前記隙間調整手段を、前記蓋部材と前記固定基盤又は可動基盤との間に設けることを特徴とする請求項１６記載の基板成形金型における成形基板の板厚調整方法。
【請求項１９】
前記突当部材は実質上環状であり、又、前記基盤と前記基板成形部材との接合面が、前記突当部材の内周壁面に当たる位置に段差がある場合、
前記隙間調整手段を、前記段差における前記内周壁面に隣接して配置することを特徴とする請求項１６記載の基板成形金型における成形基板の板厚調整方法。
【請求項２０】
前記基盤と前記基板成形部材との接合面が、実質上環状の段差を有しており、
前記隙間調整手段を、前記段差における環状の壁面に隣接して配置することを特徴とする請求項１６記載の基板成形金型における成形基板の板厚調整方法。
【請求項２１】
前記隙間調整手段は、薄板状のシムであり、
前記シムに耐熱粘性流体を塗布することを特徴とする請求項１６〜２０の何れか一つに記載の基板成形金型における成形基板の板厚調整方法。
【請求項２２】
前記隙間調整手段は、前記基板成形部材に、又はその基板成形部材と接合している前記基盤にねじ込まれた突出部材であり、
前記突出部材の突出寸法を調整する場合、その突出部材を回転させることにより行うことを特徴とする請求項１６，１７，１９，又は２０に記載の基板成形金型における成形基板の板厚調整方法。
【請求項２３】
前記隙間調整手段は、前記蓋部材に、又はその蓋部材と接合している前記基盤にねじ込まれた突出部材であり、
前記突出部材の突出寸法を調整する場合、その突出部材を回転させることにより行うことを特徴とする請求項１８に記載の基板成形金型における成形基板の板厚調整方法。
【手続補正２】
【補正対象書類名】明細書
【補正対象項目名】０００７
【補正方法】変更
【補正の内容】
【０００７】
本発明は、このような従来の金型の課題を考慮し、成形基板の厚みばらつきを抑制することができる基板成形金型、及び基板成形金型における成形基板の板厚調整方法を提供することを目的とする。
【手続補正３】
【補正対象書類名】明細書
【補正対象項目名】００１２
【補正方法】変更
【補正の内容】
【００１２】
又、第５の本発明（請求項５記載の本発明に対応）は、上記基盤と前記基板成形部材との接合面が、実質上環状の段差を有しており、
前記隙間調整手段が、前記段差における環状の壁面に隣接して配置されている上記第１の発明の基板成形金型である。
【手続補正４】
【補正対象書類名】明細書
【補正対象項目名】００１７
【補正方法】変更
【補正の内容】
【００１７】
又、第２０の本発明（請求項２０記載の本発明に対応）は、上記基盤と前記基板成形部材との接合面が、実質上環状の段差を有しており、
前記隙間調整手段を、前記段差における環状の壁面に隣接して配置する上記第１６の発明の基板成形金型における成形基板の板厚調整方法である。